(57)【要約】【課題】表示画面のなかで操作可能な操作部とそれに対応する表示部とを容易に判別できる使い勝手の良い洗濯機の操作表示パネルを実現する。【解決手段】洗濯機本体と、前記洗濯機本体の上方に設けられ略矩形形状の開口部を有する操作表示パネルと、前記操作表示パネルの前記開口部を覆う透明板と、前記操作表示パネルの前記開口部内に設けられる制御装置と、前記制御装置上に設けられ、脱水等の設定条件および残時間等を表示する液晶パネルと、前記透明板の裏側の前記液晶パネルの上方以外の位置に取り付けられるタッチパネル操作部と、を備える。前記タッチパネル操作部は、前記透明板の裏側に取り付けられ文字や図形を印字した印刷部と、前記印刷部の裏側に取り付けられる電極センサーと、を有する。【選択図】図３
2018134259.tif 000002
【特許請求の範囲】
【請求項１】
洗濯機本体と、
前記洗濯機本体の上方に設けられ略矩形形状の開口部を有する操作表示パネルと、
前記操作表示パネルの前記開口部を覆う透明板と、
前記操作表示パネルの前記開口部内に設けられる制御装置と、
前記制御装置上に設けられ、脱水等の設定条件および残時間等を表示する液晶パネルと、前記透明板の裏側の前記液晶パネルの上方以外の位置に取り付けられるタッチパネル操作部と、を備え、
前記タッチパネル操作部は、前記透明板の裏側に取り付けられ文字や図形を印字した印刷部と、前記印刷部の裏側に取り付けられる電極センサーと、を有する洗濯機。
【請求項２】
前記電極センサーは、前記透明板を介して、人の指が触れるときの静電容量の変化を検出する請求項１記載の洗濯機。
【請求項３】
前記電極センサーは、透明電極センサーで構成され、前記タッチパネル操作部には、運転コースなどを設定できる複数の設定部を有しており、前記制御装置上の前記複数の設定部に対向する位置にそれぞれ発光部が設けられる請求項１または２記載の洗濯機。
【請求項４】
前記発光部は、前記複数の設定部毎に発光色を変更する請求項３記載の洗濯機。
【発明の詳細な説明】
【技術分野】
【０００１】
本発明はタッチパネル操作表示部の操作に対応して表示する液晶パネルを搭載した洗濯機に関する。
【背景技術】
【０００２】
従来、この種の洗濯機の操作表示パネルは、図１２、図１３に示すような構成としている（例えば、特許文献１参照）。
【０００３】
図１２は、特許文献１に記載された従来の洗濯機の操作表示パネルの正面図、図１３は、同洗濯機の操作表示パネルの制御装置の要部詳細図である。
【０００４】
図１２、図１３に示すように、操作表示パネル１０１は、上面にシート材で構成されたパネルシート１０２をインサート成形している。操作表示パネル１０１には、表示部１０３が設けられている。表示部１０３には、液晶パネル１０５が用いられている。操作表示パネル１０１には、押圧式の操作部１０６が用いられており、操作部１０６には、工程ボタン１０６ａ、コースボタン１０６ｂ等がある。
【０００５】
工程ボタン１０６ａを押すことにより、洗い、すすぎ、脱水、乾燥の各運転時間や設定条件等を変更できる。コースボタン１０６ｂを押すことにより、運転コースを変更できる。洗濯乾燥切替ボタン１０６ｃを押すことで、洗濯、洗濯〜乾燥、乾燥のみ、ミストの切替ができる。操作部１０６は、上記の他に、洗濯機本体に電源を投入する電源入ボタン１０６ｄ、洗濯機本体の電源を遮断する電源切ボタン６ｅ、洗濯機の運転を開始させるスタートボタン１０６ｆなどがある。
【０００６】
図１３に示すように、操作表示パネル１０１の操作部１０６に対応する位置には、ボタン式電気スイッチ１０７および操作部１０６が押されていることを報知するＬＥＤ素子１０８が設けられている。液晶パネル１０５とを積載した制御装置１０９を樹脂ケース１１０に固定している。
【先行技術文献】
【特許文献】
【０００７】
【特許文献１】特開２００８−６６１６３号公報
【発明の概要】
【発明が解決しようとする課題】
【０００８】
しかしながら、上記従来の洗濯機の操作表示パネルの構成では、操作部と表示部が離れているため、操作部で設定した内容を表示部で確認しにくく、操作しづらいという課題を有していた。また、上記課題を解決するため、表示部をタッチ操作可能に構成すると、表示画面の中で操作可能な操作部と表示部とが区別し難く、誤って操作部でない箇所を押してしまうことがあった。
【０００９】
本発明は、前記従来の課題を解決するもので、設定内容が表示部で容易に確認できるとともに、表示画面のなかで操作可能な操作部と表示部とを簡単に判別できる洗濯機を提供する。
【課題を解決するための手段】
【００１０】
前記従来の課題を解決するために、本発明の洗濯機は、洗濯機本体と、前記洗濯機本体
の上方に設けられ略矩形形状の開口部を有する操作表示パネルと、前記操作表示パネルの前記開口部を覆う透明板と、前記操作表示パネルの前記開口部内に設けられる制御装置と、前記制御装置上に設けられ、脱水等の設定条件および残時間等を表示する液晶パネルと、前記透明板の裏側の前記液晶パネルの上方以外の位置に取り付けられるタッチパネル操作部と、を備え、前記タッチパネル操作表示部は、前記透明板の裏側に取り付けられ文字や図形を印字した印刷部と、前記印刷部の裏側に取り付けられる電極センサーと、を有する構成とすることで、液晶パネルとタッチパネル操作部とを近傍に配置できるとともに、タッチ操作可能なタッチパネル操作部とタッチ操作ができない液晶パネルとを簡単に判別できるので、操作性を向上させることができる。
【発明の効果】
【００１１】
本発明の洗濯機は、液晶パネルによる表示部とタッチパネル操作表示部とを近傍に配置できるとともに、タッチ操作可能な箇所とタッチ操作ができない箇所とを簡単に判別することができるので、操作性を向上させることができる。
【図面の簡単な説明】
【００１２】
【図１】本発明の実施の形態１における洗濯機の縦断面図
【図２】同洗濯機の全体斜視図
【図３】同洗濯機の操作表示パネルの要部平面図
【図４】図３のＡ−Ａ断面図
【図５】図３のＢ−Ｂ断面図
【図６】同洗濯機の操作表示パネルの制御装置の要部詳細図
【図７】（ａ）〜（ｆ）同洗濯機の操作表示パネルの表示内容の一例を示す正面図
【図８】同洗濯機の操作表示パネルのタッチパネル操作部の透明電極センサーの正面図
【図９】同洗濯機の操作表示パネルのタッチパネル操作部の側面図
【図１０】同洗濯機の操作表示パネルのタッチパネル操作部のタッチ検知時の検知を示す図
【図１１】同洗濯機の操作表示パネルのタッチパネル操作部のタッチ検知時の検知を示す簡略図
【図１２】従来の洗濯機の操作表示パネルの正面図
【図１３】同洗濯機の操作表示パネルの制御装置の要部詳細図
【発明を実施するための形態】
【００１３】
第１の発明は、洗濯機本体と、前記洗濯機本体の上方に設けられ略矩形形状の開口部を有する操作表示パネルと、前記操作表示パネルの前記開口部を覆う透明板と、前記操作表示パネルの前記開口部内に設けられる制御装置と、前記制御装置上に設けられ、脱水等の設定条件および残時間等を表示する液晶パネルと、前記透明板の裏側の前記液晶パネルの上方以外の位置に取り付けられるタッチパネル操作部と、を備え、前記タッチパネル操作表示部は、前記透明板の裏側に取り付けられ文字や図形を印字した印刷部と、前記印刷部の裏側に取り付けられる電極センサーと、を有する構成とすることで、液晶パネルとタッチパネル操作部とを近傍に配置できるとともに、タッチ操作可能なタッチパネル操作部とタッチ操作ができない液晶パネルとを簡単に判別できるので、操作性を向上させることができる。
【００１４】
第２の発明は、特に、第１の発明の洗濯機の前記電極センサーは、前記透明板を介して、人の指が触れるときの静電容量の変化を検出する構成とすることで、直感的な操作により使い勝手を向上させることができる。
【００１５】
第３の発明は、特に第１または第２の発明の洗濯機の前記電極センサーは、透明電極センサーで構成され、前記タッチパネル操作表示部には、運転コースなどを設定できる複数の設定部を有しており、前記制御装置上の前記複数の設定部に対向する位置にそれぞれ発光部が設けられることにより、現在どの工程を設定しているか容易に認識でき、使い勝手
を向上させることができる。
【００１６】
第４の発明は、特に、第３の発明の洗濯機の前記発光部は、前記複数の設定部毎に発光色を変更することで、設定中の工程の認識度を向上させることができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における洗濯機の縦断面図、図２は、同洗濯機の全体斜視図である。
【００１９】
図１および図２において、洗濯機本体１２内には、水槽１３が揺動自在に弾性支持されている。水槽１３内に有底円筒形に形成された回転ドラム１４が配設されている。回転ドラム１４は、回転軸の軸心方向を正面側から背面側に向けて下向きに傾斜させてかつ回転自在に配設されている。
【００２０】
水槽１３の正面側には、回転ドラム１４の開口端に通じる衣類出入口１５が形成されている。洗濯機本体１２の前面を構成する前部枠体１６の前部に形成された上向き傾斜面には、衣類出入口１５に対応して開口部１７が設けられている。前部枠体１６には、開口部１７を開閉する扉１８を設けており、扉１８を開くことにより、衣類出入口１５を通じて回転ドラム１４内に洗濯物を出し入れできる。開口部１７が上向き傾斜面に設けられているため、洗濯物を出し入れする作業を、腰を屈めることなく行うことができる。回転ドラム１４の周面には、水槽１３内に通じる多数の透孔１９が形成されている。回転ドラム１４は、水槽１３の背面側に取りけられたモータ２０によって正転及び逆転方向に回転駆動される。
【００２１】
水槽１３には、注水管路２１及び排水管路２２が配管接続され、注水弁２３および排水弁２４を制御することによって水槽１３内への注水および排水がなされる。
【００２２】
図２において、前部枠体１６の上方と天板２７との間には、操作表示パネル２５が配置される。操作表示パネル２５の左下の前部枠体１６には、洗剤投入ケース２６が前方に引き出し自在に配設されている。使用者は、運転に先立ち洗剤を洗剤投入ケース２６に入れた後、操作表示パネル２５を操作することにより、希望する運転内容を設定、運転のスタート、一時停止、あるいは、設定内容、運転の進行状態等の確認を行うことができる。
【００２３】
扉１８を開放して開口部１７から回転ドラム１４内に洗濯物を投入する。運転が開始されると、注水弁２３が開き、洗剤投入ケース２６内に水が注水される。洗剤投入ケース２６内に注水された水は、洗剤投入ケース２６内の洗剤を流しながら、注水管路２１を介して水槽１３内に注水される。水槽１３内に所定量の水が注水されると、モータ２０により回転ドラム１４が回転駆動され、洗い工程が開始される。洗い工程の洗濯物は、回転ドラム１４の回転により、回転方向に持ち上げられ落下する撹拌動作が繰り返される。
【００２４】
所要の洗い時間の後、排水弁２４が開き、汚れた洗濯液は排水管路２２から排出される。その後、回転ドラム１４を高速回転させる脱水動作により洗濯物に含まれた洗濯液を脱水する脱水工程が行われる。脱水工程の後、水槽１３内に注水管路２１から注水され、すすぎ工程が行われる。すすぎ工程においても、洗濯物には回転ドラム１４の回転により撹拌動作が繰り返される。
【００２５】
図３は、本発明の実施の形態１における洗濯機の操作表示パネルの要部平面図、図４は、図３のＡ−Ａ断面図、図５は、図３のＢ−Ｂ断面図、図６は、本発明の実施の形態１における洗濯機の操作表示パネルの制御装置の要部詳細図である。
【００２６】
図３〜図６において、透明ＡＢＳ樹脂からなる基部２８の表面にインサート成形されたフィルム２９（ＰＥＴフィルム）で覆われて着色、印刷が施された化粧面を成している。基部２８およびフィルム２９の略中央には、略矩形形状を成すパネル開口部３０（開口部）が設けられる。
【００２７】
パネル開口部３０は、基部２８もフィルム２９も無い領域であり、パネル開口部３０の裏面には、透明ガラス板３１（透明板）が操作表示パネル２５に取付けられている。透明ガラス板３１の全周囲には、防水手段としての弾性体３２が配設されている。パネル開口部３０には、表示部６０とタッチパネル操作部６１が設けられる。
【００２８】
図４に示すように、表示部６０の透明ガラス板３１裏面下側には、セグメント式の液晶パネル３４および液晶パネル３４等を制御するメイン制御基板３６（制御装置）等が取付けられる。メイン制御基板３６は、下樹脂ケース４６に固定されている。メイン制御基板３６には、タッチパネル専用ＩＣ４０を実施している。タッチパネル専用ＩＣ４０は、タッチパネル操作表示部３８へ信号を入出力することにより人がタッチ操作したか否かを判定し、制御手段３９に判定信号を伝達させる。
【００２９】
図３に示すように、タッチパネル操作部６１には、タッチ操作可能なタッチボタンとして、設定ボタン７１およびコース選択ボタン７４（設定部）とがある。
【００３０】
図４に示すように、設定ボタン７１の透明ガラス板３１の裏面（下面）には、それぞれ水位、洗い、すすぎ、脱水、予約、風呂水と印字された印刷部５７が設けられている。印刷部５７の背面（下面）には、透明電極センサー３３（電極センサー）がＯＣＡと呼ばれる透明性の極めて高い透明両面テープ３７で接着固定されている。
【００３１】
図３、図５に示すように、コース選択ボタン７４の透明ガラス板３１の裏面（下面）には、それぞれおまかせ、毛布、わたし流、デリケートと印字された印刷部５７が設けられている。印刷部５７の背面（下面）には、透明電極センサー３３（電極センサー）がＯＣＡと呼ばれる透明性の極めて高い透明両面テープ３７で接着固定されている。図５、図６に示すように、透明電極センサー３３の裏側のコース選択ボタン７４（おまかせ、毛布、わたし流、デリケート）に対向する位置には、ＬＥＤ等の発光部５５ａ、５５ｂ、５５ｃ、５５ｄが設けられている。発光部５５ａ、５５ｂ、５５ｃ、５５ｄの周囲には、側面から光が漏れないよう遮光部品５６が設けられている。各コースの認識度を向上させるため、各発光部５５ａ、５５ｂ、５５ｃ、５５ｄは、色の異なるＬＥＤを採用してもよい。
【００３２】
本実施の形態では、液晶パネル３４は表示専用域としている。このため、図４に示すように、透明ガラス板３１の裏側の液晶パネル３４と対向する位置には、透明電極センサー３３は設けられていない。
【００３３】
なお、メイン制御基板３６上の設定ボタン７１に対応する位置に、発光部を設けてもよい。
【００３４】
透明ガラス板３１の裏側には、液晶パネル３４やメイン制御基板３６などの電装部品が配しているため防水が必要となる。防水性を確保するため、略矩形形状の透明ガラス板３１の全外周部を枠形状の弾性体３２（防水手段）で覆い、透明ガラス板３１の裏面に液晶パネル３４やメイン制御基板３６などの電装部品が取り付けられている。パネル開口部３０の上辺４１の内部および下辺４２の内部では、透明ガラス板３１の表面側、裏面側、端
面側の３方向とも弾性体３２を介して、透明ガラス板３１が操作表示パネル２５と上樹脂ケース３５の間に水密的に取付けられる。パネル開口部３０の左辺４３の内部および右辺４４の内部では、透明ガラス板３１の裏面側、端面側の２方向とも弾性体３２を介して、透明ガラス板３１が操作表示パネル２５と上樹脂ケース３５の間に水密的に取付けられる。
【００３５】
操作表示パネル２５の裏面のパネル開口部３０周縁の４隅には、ボス（図示せず）が設けられている。上樹脂ケース３５および下樹脂ケース４６は、ビス（図示せず）により締結される。操作表示パネル２５に上樹脂ケース３５および下樹脂ケース４６をビス締結した状態では、弾性体３２が上樹脂ケース３５により押し付けられて透明ガラス板３１および操作表示パネル２５と密着するので、パネル開口部３０の水密性が確保される。よって、使用者が誤ってパネル開口部３０に水をこぼした場合でも、内部に配設された液晶パネル３４やメイン制御基板３６などの電装部品に水が付着することがなく、部品の信頼性を確保し、誤動作などを防止することができる。
【００３６】
透明ガラス板３１は、弾性体３２を介してパネル開口部３０の裏面に取り付けられているので、外部から加わる衝撃で透明ガラス板３１が破損することも防止できる。透明ガラス板３１には、例えば、使用者が何かを落とした時に衝撃荷重が加わることが想定される。また、製品の包装状態における物流の途中で、積荷状態で落下したり、転倒したりすることが想定される。このような場合でも、透明ガラス板３１の外周に弾性体３２を配置させることにより、柔構造となり、外部から衝撃が加わった際の破損を防止できる。
【００３７】
前記操作表示パネル２５には、タッチパネル操作表示部３８から完全に独立した押圧式の押圧操作ボタン部４８が設けられている。メイン制御基板３６には、押圧操作ボタン部４８に対応する位置にタクトスイッチ４９を配設している。
【００３８】
押圧操作ボタン部４８には、洗濯機本体１２に電源を供給する電源入ボタン５２と、洗濯機本体１２への電源を遮断する電源切ボタン７３と、洗濯機本体１２の運転が開始されるスタートボタン７２とがある。
【００３９】
図７は、本発明の実施の形態１における洗濯機の操作表示パネルの表示内容の一例を示す正面図である。図７（ａ）は、液晶パネルおよび各コース選択ボタンが全点灯した状態のタッチパネル操作表示部の平面図、図７（ｂ）は、図７（ａ）の液晶パネルを示した図、図７（ｃ）は、図７（ａ）の透明ガラス板３１の背面に印刷された表示を示した図、図７（ｄ）は、電源投入時におけるタッチパネル操作表示部の平面図、図７（ｅ）は、図７（ｄ）において洗い設定ボタンを一回タッチしたときのタッチパネル操作表示部の平面図、図７（ｆ）は、図７（ｄ）において毛布コースボタンを一回タッチしたときのタッチパネル操作表示部の平面図である。
【００４０】
図７（ａ）を用いて、設定ボタン７１について説明する。
【００４１】
図７（ａ）において、水位設定ボタン７５ａをタッチすることで、水位設定表示７５ｂを変更できる。洗い設定ボタン７６ａをタッチすることで洗い設定表示７６ｂを変更できる。すすぎ設定ボタン７７ａをタッチすることで、すすぎ設定表示７７ｂを変更できる。脱水設定ボタン７８ａをタッチすることで、脱水設定表示７８ｂを変更できる。予約設定ボタン７９ａをタッチすることで、予約設定表示７９ｂを変更できる。風呂水設定ボタン８０ａをタッチすることで、風呂水設定表示８０ｂを変更できる。
【００４２】
次に、図６と図７を用いてコース選択ボタン７４について説明する。
【００４３】
図７に示すように、運転コースは、おまかせコース、毛布コース、わたし流コース、デリケートコースの４コースがある。
【００４４】
おまかせコース表示８１ａは、おまかせの文字８１ｂと囲い表示８１ｃの箇所が印刷部５７により印刷されている。おまかせコース表示８１ａは、メイン制御基板３６に配設した発光部５５ａの光を透過できる。
【００４５】
毛布コース表示８２ａは、毛布の文字８２ｂと、囲い表示８２ｃの箇所が印刷部５７により印刷されている。毛布コース表示８２ａは、メイン制御基板３６に配設した発光部５５ｂの光を透過できる。
【００４６】
わたし流コース表示８３ａは、わたし流の文字８３ｂと囲い表示８３ｃの箇所が印刷部５７により印刷されている。わたし流コース表示８３ａは、メイン制御基板３６に設けた発光部５５ｃの光を透過できる。
【００４７】
デリケートコース表示８４ａは、デリケートの文字８４ｂと囲い表示８４ｃの箇所が印刷部５７により印刷されている。デリケートコース表示８４ａは、メイン制御基板３６に設けた発光部５５ｄの光を透過できる。
【００４８】
電源投入時は初期設定として、上記４つのコースの内、おまかせコースを運転するように設定されている。
【００４９】
図７（ｄ）に示すように、電源投入時には、おまかせコースが選択されていることを示すために、おまかせコース表示８１ａが点灯し、その他の３つのコースの、毛布コース表示８２ａ、わたし流コース表示８３ａ、デリケートコース表示８４ａは消灯している。この状態で、運転コース変更をしたい場合は、毛布コース表示８２ａ、わたし流コース表示８３ａ、デリケートコース表示８４ａのいずれかを押すことにより、操作した表示部に選択表示が移動し、使用者にコース選択変更が設定できたことを報知する。
【００５０】
次に、洗濯機の運転動作を行うための操作方法について説明する。
【００５１】
図３に示す操作表示パネル２５に配置した電源入ボタン５２を操作すると、洗濯機本体に電源が供給され、液晶パネル３４が点灯し、文字等が表示される。
【００５２】
図７（ｄ）は、電源投入状態の液晶パネル３４の表示を示している。
【００５３】
電源投入時には、おまかせコースが初期設定されているため、おまかせコース表示８１ａが点灯している。おまかせの文字８１ｂおよび囲い表示８１ｃは、透明ガラス板３１を透過して見えている。使用者は、見えている画面上を指でタッチ操作することで画面の切替や設定内容の変更等を行なうことができる。
【００５４】
図７の電源投入時の液晶表示の画面状態において、例えば、洗い時間を初期値の１２分から変更したい場合は、洗い設定ボタン７６ａをタッチすることで変更できる。
【００５５】
図７（ｅ）は、洗い設定ボタン７６ａを１回タッチした状態である。洗い設定ボタン７６ａを１回タッチすると、洗い設定表示７６ｂが「１２」分から「１３」分に変更され、予約設定表示７９ｂも「４８」分から１分増加した「４９」分に変更される。このように、洗い設定ボタン７６ａをタッチした回数分、洗い時間の変更が可能となる。
【００５６】
図７（ｄ）に示す電源投入時の液晶表示の画面状態において、例えば、毛布コース表示
８２ａをタッチすることで、おまかせコースから毛布コースに変更できる。
【００５７】
図７（ｆ）は、図７（ｄ）から毛布コース表示８２ａを１回タッチした状態である。毛布コース表示８２ａを１回タッチすると、おまかせコース表示８１ａが消灯し、毛布コース表示８２ａが点灯することで、運転コースがおまかせコースから毛布コースに変更されたことを報知する。さらに、洗い設定表示７６ｂが「１６分」に変更され、予約設定表示７９ｂも「６４分」に変更され、水位設定表示７５ｂが「高水位」に変更される。
【００５８】
運転の設定終了後、使用者は、操作表示パネル２５に配設されたスタートボタン７２を操作し、運転を開始する。なお、運転途中に運転を一時停止したい場合には、スタートボタン７２を操作する。一時停止した状態から運転を再開させたいときには、再度スタートボタン７２を操作する。
【００５９】
図８は、本発明の実施の形態１における洗濯機のタッチパネル操作部の透明電極センサーの正面図、図９は、同洗濯機のタッチパネル操作部の側面図である。
【００６０】
図８において、透明電極センサー３３は、ガラス基材６５上にＩＴＯと呼ばれる導電性の高い酸化インジウムスズを蒸着成膜させ、エッチング処理することで透明電極９５を形成する。
【００６１】
透明電極９５の内、液晶パネル３４の水位設定ボタン７５ａの対向位置に水位透明電極８５、洗い設定ボタン７６ａの対向位置に洗い透明電極８６、すすぎ設定ボタン７７ａの対向位置にすすぎ透明電極８７、脱水設定ボタン７８ａの対向位置に脱水透明電極８８、予約設定ボタン７９ａの対向位置に予約透明電極８９、風呂水設定ボタン８０ａの対向位置に風呂水透明電極９０、おまかせコース表示８１ａの対向位置におまかせコース透明電極９１、毛布コース表示８２ａの対向位置に毛布コース透明電極９２、わたし流コース表示８３ａの対向位置にわたし流コース透明電極９３、デリケートコース表示８４ａの対向位置にデリケートコース透明電極９４をそれぞれ形成している。図示していないが、透明電極９５は電気的にタッチパネル専用ＩＣ４０に接続され、タッチパネル専用ＩＣ４０は制御手段３９と電気接続している。
【００６２】
図９において、透明ガラス板３１の裏面には、各設定ボタンやコース選択ボタン（コース表示）の印刷部５７が設けられている。透明電極センサー３３の裏面には、一面ＩＴＯを蒸着成膜したシールド電極６９が形成されている。シールド電極６９は、ＦＰＣ配線７０を介してメイン制御基板３６のＧＮＤラインと接続することで電源ノイズ耐性を向上させ、下方に配置する液晶パネル３４からのスイッチングノイズ等により、タッチパネル操作表示部３８が誤動作することを防止している。透明電極センサー３３は、透明両面テープ３７により透明ガラス板３１に接着固定している。
【００６３】
静電容量の変化は、指が触る物質の誘電率によって決まり、誘電率が大きいほど静電容量の変化が大きくなり、感度を高く設定できる。なお、感度が高いとは、指で押された位置を正確に早く認識でき、例えば、水滴の付着を指が触れた状態と認識する誤検知を起こし難く、また、外部ノイズの影響による誤検知し難いことをいう。
【００６４】
例えば、ガラスの誘電率は９程度、ＡＢＳ樹脂やＰＥＴ樹脂の誘電率は３程度であり、また静電容量の変化は厚みに反比例するので、指で触る部分の材質がガラス板であれば、ＡＢＳ樹脂やＰＥＴ樹脂に比べて３倍の厚みがあっても、感度を同等にできる。
【００６５】
なお、本実施の形態では透明電極センサー３３をガラス基材としたが、ＰＥＴのような樹脂シートでも同様な効果が得られることはいうまでもない。
【００６６】
また、本実施の形態では、液晶パネルの各表示部に対応する位置のみに電極を配線して表示部に対応する位置のみ検出可能な構成としたが、透明電極のＸ電極、Ｙ電極をマトリック状に配線し、ガラス基材のどの部分をタッチしても検出可能な構成としても、同等の性能が得られることはいうまでもない。
【００６７】
図８、図９を用いて簡単にタッチ操作時の検知メカニズムを説明する。
【００６８】
透明電極センサー３３上に形成されている透明電極９５には、非常に小さい静電容量成分（約２〜３ＰＦ程度）が存在し、タッチパネル専用ＩＣ４０からＸ電極６６に対して常時所定の周期で電圧を繰り返して印加している。Ｙ電極６７は、Ｘ電極６６から印加され静電容量成分を通過した電圧が常時出力され、タッチパネル専用ＩＣ４０に電圧信号を返すことで、常にタッチパネル操作部６１に存在する静電容量成分での電圧変化をモニタリングする。
【００６９】
人が透明ガラス板３１に触れると、指から透明ガラス板３１、透明両面テープ３７、透明電極センサー３３の間で電気的に繋がり、人の持つ静電容量成分（一般的には１００〜１５０ＰＦ程度）の電気が流れ、結果的にタッチパネル専用ＩＣ４０で検出するタッチパネル操作部６１に存在する静電容量成分の電圧が大きく変化することで、タッチ操作したことをタッチパネル専用ＩＣ４０は確定させ、確定信号を制御手段３９に伝える。
【００７０】
図１０は、本発明の実施の形態１における洗濯機のタッチパネル操作部のタッチ検知時の検知を示す図、図１１は、同洗濯機のタッチパネル操作部のタッチ検知時の検知を示す簡略図である。
【００７１】
図１０において、Ｘ軸方向は透明ガラス板３１の長辺側を示し、Ｚ軸方向は透明ガラス板３１の短辺側を示し、Ｙ軸方向はタッチ操作されたときのタッチ感度を示している。図１１においてＹ軸方向の上にいけばいくほどタッチ操作したときの感度が高いことを示している。図１１は、タッチパネル専用ＩＣ４０で検出したタッチ信号をパソコン（図示せず）上で確認するようにしたデータである。一般的にはタッチパネル専用ＩＣ４０のなかでタッチ操作を判定する閾値Ｓを設定し、タッチ信号の高さＨが閾値Ｓを越えるか否かでタッチ操作の有無を確定させる。
【００７２】
図１１（ａ）は、水が透明ガラス板３１に付着した際の感度高さの例、図１１（ｂ）は、液体洗剤が透明ガラス板３１に付着した際の感度高さの例、図１１（ｃ）は、指で透明ガラス板３１タッチ操作したときの感度高さの例を示している。
【００７３】
この例から、感度高さに対して導電性の低い水は、感度高さが閾値Ｓ以下であるが、導電性の高い液体洗剤は、感度高さが閾値Ｓ以上となり、誤検知により誤動作する虞が生じる。
【００７４】
この問題は、閾値Ｓを液体洗剤の感度高さ以上に設定することにより解決することが可能であるが、閾値Ｓを高く設定すると、指によるタッチ操作時の応答性が悪くなり、使い勝手が悪くなる可能性がある。図１１中の（ｃ）には、指によるタッチ操作によるタッチ感度の高さの一例を示したが、指が透明ガラス板３１に接する面積が直接、静電容量に影響を与えるため、操作する人の指の大きさやタッチしたときの瞬間的なタッチ面積によりタッチ感度の高さが変化することも応答性を落とす要因につながる。
【００７５】
以上のように構成された洗濯機の操作表示パネルについて、以下その作用、効果を説明する。
【００７６】
図４、図５、図９に示すように、透明ガラス板３１の裏面には印刷部５７が取り付けられている。このため、使用者は、透明ガラス板３１を介して各種設定やコース表示が印字された印刷部５７の絵柄に直接触ることで操作できるため、使い勝手を向上できる。
【００７７】
図３、図７に示すように、パネル開口部３０内に表示部６０とタッチ操作可能なタッチパネル操作部６１とが分離されて設けられている。上記構成により、表示部６０とタッチパネル操作部６１とを近傍に配置できるため、タッチパネル操作部６１による設定内容を表示部６０で容易に確認できる。また、タッチパネル操作部６１の透明ガラス板３１裏側には印刷部５７が取り付けられているため、タッチ操作可能なタッチパネル操作部６１とタッチ操作できない表示部６０とを簡単に判別でき、操作性を向上できる。
【００７８】
また、液晶パネル３４をセグメント液晶とすることで、フルドット液晶と比較しても安価にタッチパネルを構成することが可能となる。また、表示部６０とタッチパネル操作部６１とを分離することにより、表示部６０を小型化できる。
【００７９】
また、本実施の形態では、透明電極センサー３３は透明色としているが、本発明は透明色以外の色を使用してもよい。この場合、さらに安価に製造することができる。
【００８０】
また、静電容量式のタッチパネルを用いることで、透明ガラス板３１を軽く触るだけでタッチの検出が可能となるので、指の力が弱い高齢者にも容易に操作ができる。
【００８１】
また、透明ガラス板３１裏側の充電部を操作表示パネルのパネル開口部３０に圧接してシールする構成とすることにより、水や洗剤等が透明板に付着しても、パネル開口部３０から水や洗剤が浸入し透明電極センサー３３や液晶パネル３４などへの水や洗剤の付着を防ぎ、部品故障を減らし、信頼性を高めることができる。
【００８２】
また、コース選択ボタンの背面にＬＥＤ等の発光部を設け、透明電極センサー３３と透明ガラス板３１を通して光を透過して文字や図柄等の周囲に選択していることがわかるように発光させることで、操作性が向上できる。
【００８３】
また、コース選択ボタンの背面にＬＥＤ等の各発光部５５ａ、５５ｂ、５５ｃ、５５ｄの発光色を各コース選択ボタン毎に変更することで、視認性をさらに向上できる。
【００８４】
なお、本実施の形態では操作表示パネルを洗濯機の前面に配置する構成としたが、操作表示パネルを洗濯機の背面に配置する構成としても、同様な効果が得られることはいうまでもない。
【００８５】
なお、本実施の形態ではドラム式洗濯機を用いて説明したが、本発明はこれに限定されず、例えば縦型洗濯機であってもよい。
【産業上の利用可能性】
【００８６】
以上のように、本発明にかかる洗濯機の操作表示パネルは、設定内容が表示部で容易に確認できるとともに、表示画面のなかで操作可能な操作部と表示部とを簡単に判別でき、タッチパネル操作部を有している特に水周りの各種機器に適用できる。
【符号の説明】
【００８７】
１２  洗濯機本体
２５  操作表示パネル
３０  パネル開口部（開口部）
３１  透明ガラス板（透明板）
３２  弾性体
３３  透明電極センサー（電極センサー）
３４  液晶パネル
３６  メイン制御基板（制御装置）
３８  タッチパネル操作表示部
４８  押圧操作ボタン部
５５ａ  発光部
５５ｂ  発光部
５５ｃ  発光部
５５ｄ  発光部
５７  印刷部
６０  表示部
６１  タッチパネル操作部
７１  設定ボタン（設定部）
７４  コース選択ボタン（設定部）
【図１】
2018134259.tif 000003
【図２】
2018134259.tif 000004
【図３】
2018134259.tif 000005
【図４】
2018134259.tif 000006
【図５】
2018134259.tif 000007
【図６】
2018134259.tif 000008
【図７】
2018134259.tif 000009
【図８】
2018134259.tif 000010
【図９】
2018134259.tif 000011
【図１０】
2018134259.tif 000012
【図１１】
2018134259.tif 000013
【図１２】
2018134259.tif 000014
【図１３】
2018134259.tif 000015